(57)【要約】      （修正有）【課題】回線の極性を反転制御する交換機に接続される際に、モデムや網制御装置に対する保護機能を無効化して通信エラーを回避する。【解決手段】画像データを変調した画像信号を生成、あるいは受信する画像信号を復調して画像データを生成するモデムと、モデムに接続されて所定の回線に対する網制御を行う網制御手段と、所定の回線に印加される過電流又は過電圧を検知する検知手段と、検知手段が検知する過電流又は過電圧が網制御手段又はモデムに印加されないように保護する保護手段と、所定の回線の極性が反転して交換機から出力される呼出信号が検出されて所定の回線が捕捉され、かつ、所定の回線の極性が逆極性に反転してから所定時間が経過されるまで保護手段を無効化し、かつ、所定時間が経過した後、保護手段を有効化するように制御する制御手段と、を備える。【選択図】図４
2016167746.tif 000002
【特許請求の範囲】
【請求項１】
所定の回線の極性を反転する機能を有する交換機と接続される画像通信装置であって、
画像データを変調した画像信号を生成、あるいは受信する画像信号を復調して画像データを生成するモデムと、
前記モデムに接続されて前記所定の回線に対する網制御を行う網制御手段と、
前記所定の回線に印加される過電流または過電圧を検知する検知手段と、
前記検知手段が検知する過電流または過電圧が前記網制御手段または前記モデムに印加されないように保護する保護手段と、
前記所定の回線の極性が反転して前記交換機から出力される呼出信号が検出されて前記所定の回線が捕捉され、かつ、前記所定の回線の極性が逆極性に反転してから所定時間が経過されるまで前記保護手段を無効化し、かつ、所定時間が経過した後、前記保護手段を有効化するように制御する制御手段と、
を備えることを特徴とする画像通信装置。
【請求項２】
前記所定の回線の極性が逆極性に反転してから所定時間が経過されることを計時するタイマを備えることを特徴とする請求項１記載の画像通信装置。
【請求項３】
前記タイマは、前記呼出信号の出力が停止してから前記所定の回線の極性が反転するまでの経過時間を計時する第１の計時処理を行うことを特徴とする請求項２記載の画像通信装置。
【請求項４】
前記タイマは、前記所定の回線の極性が反転してからの経過時間を計時する第２の計時処理を行うことを特徴とする請求項２記載の画像通信装置。
【請求項５】
前記交換機から出力される呼出信号が検出され前に、前記所定の回線の極性が反転しない場合、前記保護手段は、前記検知手段が検知する過電流または過電圧が前記網制御手段または前記モデムに印加されないように保護する機能を有効化することを特徴とする請求項１記載の画像通信装置。
【請求項６】
画像データを変調した画像信号を生成、あるいは受信する画像信号を復調して画像データを生成するモデムと、前記モデムに接続されて所定の回線に対する網制御を行う網制御手段とを備え、前記所定の回線の極性を反転する機能を有する交換機と接続される画像通信装置の制御方法であって、
前記所定の回線に印加される過電流または過電圧を検知する検知工程と、
前記検知工程で検知する過電流または過電圧が前記網制御手段または前記モデムに印加されないように保護する保護工程と、
前記所定の回線の極性が反転して前記交換機から出力される呼出信号が検出されて前記所定の回線が捕捉され、かつ、前記所定の回線の極性が逆極性に反転してから所定時間が経過されるまで前記保護工程を停止し、かつ、所定時間が経過した後、前記保護工程を再開するように制御する制御工程と、
を備えることを特徴とする画像通信装置の制御方法。
【請求項７】
所定の回線の極性を反転する機能を有する交換機と接続される画像通信装置であって、
画像データを変調した画像信号を生成、あるいは受信する画像信号を復調して画像データを生成するモデムと、
前記モデムに接続されて前記所定の回線に対する網制御を行う網制御手段と、
前記所定の回線に印加される過電流または過電圧を検知する検知手段と、
前記検知手段が検知する過電流または過電圧が前記網制御手段または前記モデムに印加されないように保護する保護手段と、
前記所定の回線の極性が反転して前記交換機から出力される呼出信号が検出されて前記所定の回線が捕捉され、かつ、前記所定の回線の極性が逆極性に反転してから所定時間が経過されるまで、前記検知手段が前記所定の回線に印加される過電流または過電圧を検知しないように制御する制御手段と、
を備えることを特徴とする画像通信装置。
【発明の詳細な説明】
【技術分野】
【０００１】
本発明は、画像通信装置、画像通信装置の制御方法、及びプログラムに関するものである。
【背景技術】
【０００２】
近年、ファクシミリ通信用ＭＯＤＥＭと電話回線とのインターフェースに半導体化されたデータアクセス装置（Ｄａｔａ  Ａｃｃｅｓｓ  Ａｒｒａｎｇｅｍｅｎｔ：以下ＤＡＡと呼ぶ。）を用いている。ＤＡＡは、ＮＣＵ（網制御ユニット）の役割を果たし、半導体ＩＣで構成されているので、ＳＤＡＡ（Ｓｉｌｉｃｏｎ  ＤＡＡ）とも呼ばれる。
ファクシミリ通信部は、ＭＯＤＥＭとＤＡＡおよび呼出信号検知回路と、電話機のオフフック検出回路とノイズ対策のディスクリート部品で構成されている。
ＤＡＡは前述のように半導体ＩＣ化されているが周辺にメーカ推奨のディスクリート回路で構成している。ここではＤＡＡの周辺のディスクリート回路も含めてＤＡＡとする。全世界にファクシミリ搭載機を展開しており、ＭＯＤＥＭとＤＡＡの各国対応を国コードを設定することで国毎の規格に応じた設定を行っている。
この設定値に応じた動作によって各国規格に対応が可能である。また、呼出信号と電話機のオフフック検知は、それぞれ専用の回路で行っている。呼出信号の検知は、呼出信号検知回路で行っている。電話機のオフフック検知は、オフフック検知回路で行っている。
呼出信号検出後の回線捕捉は、ＤＡＡで行っているが、回線捕捉後も一定時間、呼出信号が停止しない回線交換機が有るため、ＤＡＡに呼出信号の高電圧が印加されＤＡＡが壊れてしまうことがあった。これを防ぐために、回線捕捉状態で呼出信号が印加された場合、過電流または、過電圧を検知して、所定値以上の電流・電圧が印加されたならば、ＤＡＡの回線捕捉時の直流抵抗を高くする。または、回線をオンフック状態にすることで、回路が壊れないようにしており、この機能を保護機能と呼ぶ。
【０００３】
一方、公衆回線網の加入者線電話交換器は、国内の技術基準では、極性反転機能が明記されており、機能動作によって回線の極性反転を行っている。例えば、呼出信号の着信直前や回線捕捉時に極性を反転する機能を持っている。呼出信号の着信直前の極性反転は、受信端末に呼出信号の到来を事前に通知するために行われる。回線捕捉時の極性反転は、極性を戻すために行われる。
画像通信装置によるファクシミリ通信において、呼出信号の着信で回線を捕捉し、ファクシミリ通信を開始した場合、手順信号が通らず通信エラーになる場合があった。
原因は、上記回線捕捉時に回線極性が反転するタイミングのノイズまたは、極性反転時の電圧差を保護機能が検知し、回路を保護する方向に働くため、回線インピーダンスが高くなる。またはオンフックになるため、通信信号が通じなくなり通信エラーとなると考えられ、対応を求められている。回線保護機能を採用する以前のファクシミリ通信では、極性反転機能を持った交換器による通信エラーは発生していない。
【０００４】
特許文献１には、モデムの電流破壊防止回路で、異常電流を検知し、強制的に回路を開放することにより、内部回路の損傷を防ぐ方法が記載されている。モジュラーの誤挿入による破壊防止を目的としている。例えばボタン電話などモジュラーの差し口に画像通信装置のモジュラーコードを誤挿入することで回路が壊れないようにしたものである。
したがって、回線の極性反転時のノイズや通信装置が回線を捕捉するときのノイズを検知して誤作動を防止したり、通信エラーを防止したりすることを目的とした構成や機能に関する記載は無い。
【先行技術文献】
【特許文献】
【０００５】
【特許文献１】特開平１１−１６８５７２号公報
【発明の概要】
【発明が解決しようとする課題】
【０００６】
ＭＯＤＥＭとＤＡＡのチップセットは、ＤＤＡがＩＣ化されたことにより回路規模が小さくなり、動作が安定したが、一方で耐電圧や電流耐量が低くなっていく傾向にある。
このため回線捕捉時の高電圧や高電流の入力による故障が予想されていた。例えば、呼出信号の着信時、呼出信号検知回路で呼出信号を検知し、ＤＡＡで回線捕捉した後も、呼出信号の停止が遅れ、呼出信号が数100ｍsecＤＡＡに印加されることがある。
この呼出信号の残留を残留呼出信号または、残留ＣＩと呼ぶ。ＤＡＡが回線捕捉中に残留呼出信号（ＣＩ）がＤＡＡに印加された場合、高電圧によってＤＡＡ内部回路およびＤＡＡに付随する周辺回路が壊れることがある。これを防ぐためＭＯＤＥＭとＤＡＡのチップセットには、残留呼出信号の高電圧ノイズによる回路破壊を防止する目的で過電流と過電圧検知機能を備えている。
過電流過電圧検知機能とは、次のような機能である。まず、ＤＡＡが回線捕捉している状態で、回線に過大電圧が入力されることによって発生する過電流を検知する。そして、過電流が所定電流値以上であると、ＤＡＡは、回線捕捉回路の直流抵抗を高くし、過大電圧や過大源流からＤＡＡおよびそれに付随する回路を保護する機能である。残留呼出信号による防止機能により、回路が壊れることを防ぐことが可能である。
一方、過電流検知機能は、残留呼出信号以外のサージノイズに対しても反応するため、次の弊害がある。
例えば、公衆回線網のアナログ加入者線交換器は、極性反転機能を持っており、技術基準で定めた機能において、極性反転動作をする。例えば、画像通信装置に到来する呼出信号着信の直前や呼出信号検知後の回線捕捉時に、回線極性が反転する。
ここで、呼出信号検知後の回線捕捉で回線の極性が反転するタイミングでのノイズや電圧の切り替えでの電圧差が発生する。このノイズを保護機能が検知し、通信回路の回線抵抗を上げるため、オンフックと同様な状況となり、回線瞬断が発生する。それによって、画像通信装置が通信エラーとなる。
【０００７】
本発明は、上記の課題を解決するためになされたものである。本発明の目的は、回線の極性を反転制御する交換機に接続される際に、モデムや網制御装置に対する保護機能を無効化して通信エラーを回避できる仕組みを提供することである。
【課題を解決するための手段】
【０００８】
上記目的を達成する本発明の画像通信装置は以下に示す構成を備える。
所定の回線の極性を反転する機能を有する交換機と接続される画像通信装置であって、画像データを変調した画像信号を生成、あるいは受信する画像信号を復調して画像データを生成するモデムと、前記モデムに接続されて前記所定の回線に対する網制御を行う網制御手段と、前記所定の回線に印加される過電流または過電圧を検知する検知手段と、前記検知手段が検知する過電流または過電圧が前記網制御手段または前記モデムに印加されないように保護する保護手段と、前記所定の回線の極性が反転して前記交換機から出力される呼出信号が検出されて前記所定の回線が捕捉され、かつ、前記所定の回線の極性が逆極性に反転してから所定時間が経過されるまで前記検知手段が前記過電流または過電圧を検知しないように制御する制御手段と、を備えることを特徴とする。
【発明の効果】
【０００９】
本発明によれば、回線の極性を反転制御する交換機に接続される際に、モデムや網制御装置に対する保護機能を無効化して通信エラーを回避できる。
【図面の簡単な説明】
【００１０】
【図１】画像通信装置の構成を示すブロック図である。
【図２】図１に示した通信部を示す図である。
【図３】呼出信号検知回路で検知する呼出信号を説明する図である。
【図４】画像通信装置の通信部の制御を示すタイミングチャートである。
【図５】公衆回線網のアナログ加入者線の交換機の動作を示す図である。
【図６】画像通信装置の制御方法を説明するフローチャートである。
【発明を実施するための形態】
【００１１】
次に本発明を実施するための最良の形態について図面を参照して説明する。
＜システム構成の説明＞
〔第１実施形態〕
【００１２】
図１は、本実施形態における画像通信装置の構成を示すブロック図である。本実施形態では、ファクシミリ通信機能を持った全ての画像通信装置に適用される例を説明する。
【００１３】
図１において、システム制御部１は、システム全体の制御と主要機能を制御する。制御部１０は、システム制御用ＬＳＩやＣＰＵから構成され、制御バス１５を介して、それぞれのブロックが接続されている。メモリ部１１に含まれるＲＯＭ２０に記憶されているプログラムに従って装置全体を制御するものである。ＲＯＭ２０は、フラッシュメモリなど不揮発性メモリであり、システムを制御するためのブートプログラムとメインプログラムが圧縮されて記憶されている。メモリ部１１のＲＡＭ２１は、ＤＲＡＭやＳＲＡＭで構成され、各種データを格納するものである。
【００１４】
ここで、ＤＲＡＭは、ＲＯＭ２０から読み出されたプログラムが記憶されるエリアでもある。ＲＯＭ２０に圧縮されて格納されているプログラムを装置起動時にメモリ部１１のＤＲＡＭ上に展開して実行する。また、不揮発性メモリ２２は、装置の電源が遮断された状態にあっても画像など保存しておくべきデータを格納するものである。たとえば、通信相手先の名称やダイヤル情報、または通信結果記録等を記憶するものである。
【００１５】
記録部１３は、ＬＢＰプリンタである。制御部１０の制御によってＲＡＭ２１または不揮発性メモリ２２に格納されている記録データを取り出し、記録部１３へ送ることでハードコピーとして印刷出力するものである。読取部１２は、制御部１０の制御によって、不示図のＣＣＤやＣＭＯＳラインセンサを用いて読み取った画像データを画像処理し、ＲＡＭ２１や不揮発性メモリ２２に格納するものである。操作部１６は、各種動作モードのオペレーションを行うもので、入力用のスイッチと表示器から構成されている。ファクシミリ通信制御部の構成を図２で説明する。
【００１６】
図２は、図１に示した通信部１４を示す図である。
図２において、ファクシミリ通信制御に必要なＭＯＤＥＭ３４や半導体ＤＡＡ３５、呼出信号検知回路３３、オフフック検出回路３０、および回線制御のディスクリート部品で構成されている。ＭＯＤＥＭ３４は、ＩＴＵＴの勧告に合致するＧ３モデムと、これらモデムに接続されたクロック発生回路などによって構成される。ここで、モデムとは、画像データを変調した画像信号を生成、あるいは受信する画像信号を復調して画像データを生成する処理を行う。ＭＯＤＥＭ３４は、制御部１０の制御に基づいて、ＲＡＭ２１や不揮発性メモリ２２に格納されている送信データを変調する。そして、変調された信号を、ＤＡＡ３５及びＥｘｔｅｒｎａｌ  Ｃｉｒｃｕｉｔ３６を介して電話回線３１に出力するものである。
【００１７】
また、ファクシミリ通信の受信データを受信し、ＲＡＭ２１や不揮発性メモリ２２に格納する。ＭＯＤＥＭ３４は次の機能を持っている。ＤＡＡ３５と接続するためのＤＡＡインターフェース、システム制御部１と接続するためのＳｅｒｉａｌインターフェース、画像データ変復調、通信手順制御等である。ＤＡＡ３５は、半導体化されたデータアクセス装置である。ＭＯＤＥＭ３４は、Ｃｏｍｍａｎｄセットを用いた制御系統をもち、Ｓｕｐｅｒ‐Ｇ３ＦＡＸ通信に対応している。
【００１８】
ＤＡＡ３５は網を介した通信に関する各種網制御を行う、ＤＣ終端(回線捕捉)、ＡＣ終端、呼出信号の電圧検知、回線間インピーダンス調整機能、Ｉｓｏｌａｔｉｏｎインターフェースなどである。また、ＭＯＤＥＭ３４は、電話回線３１から着信したアナログ信号をＤＡＡ３５を介して導入し、これを復調する。そして、システム制御部１でＪＢＩＧ等の画像形態でＲＡＭ２１または、不揮発性メモリ２２へ格納するものである。ＭＯＤＥＭ３４とＤＡＡ３５を接続するコンデンサ４１は、ＭＯＤＥＭ３４とＤＡＡ３５間の通信をするためのインターフェースとアイソレーションを目的としている。
【００１９】
図３は、図２に示した呼出信号検知回路３３で検知する呼出信号を説明する図である。
図３において、呼出信号９０は、電話回線３１の線間において所定周期で正弦波状に変化する呼出信号であって交換機から送出される。国内公衆回線の呼出信号を例に説明すると、周波数１６Ｈｚ、信号レベル７５Ｖｒｍｓ、信号形式正弦波でケーデンス1秒ＯＮ、２秒ＯＦＦの繰り返し信号である。呼出信号９０は、図３で示すように所定周期で正弦波状の断続信号によって構成される。各国で規格が異なり、図２の呼出信号検知回路３３で検知する。
【００２０】
呼出信号検知回路３３は、電話回線３１から着信した呼出信号を直接受け、  電圧レベルが所定の電圧以上の場合、入力信号に基づいて方形波の図３の認識信号９２を出力し、この認識信号９２を制御部１０の所定の入力ポートへ送る。制御部１０は、ポートに入力された認識信号９２のケーデンス９３を計測する。ここで呼出信号９０が有効な呼出信号であった場合、ＤＡＡ３５を制御し、電話回線３１を捕捉する。回線捕捉と同時に呼出信号９０は停止する。ただし、交換機の特性によっては回線捕捉しても所定期間呼出信号が着信する場合がある。これを残留呼出信号（残留ＣＩ）と呼ぶ。
【００２１】
残留呼出信号がＭＯＤＥＭチップや周辺回路に印加された場合、回路故障の原因となる。ＭＯＤＥＭ３４とＤＡＡ３５のチップセットは、回線捕捉時の残留呼出信号による回路破壊を防止するために過電流検知機能を持っていて、回路を保護するように構成されている。
【００２２】
図４は、アナログ加入者線交換機に接続された、画像通信装置の通信部１４の制御を示すタイミングチャートである。本実施形態では、交換機が極性を反転する機能を備える。
図４において、５１は交換機オンフック状態、すなわちスタンバイ状態の交換機の直流電圧の状態を示す。５２は、呼出信号５０の着信前に、交換機が極性反転（逆極性）した時の直流電位の状態を表す。呼出信号５０は鳴動期間で、５４は休止期間（鳴動しない期間）である。呼出信号５０を２回検知したら呼出信号有りと判断するように制御している。なお、呼出信号５０は、交換機から出力される呼出信号である。所定周波数の正弦波で、国内では７５ＶＲＭＳの信号が、所定のインターバルで出力される。インターバルは、１秒ＯＮ，２秒ＯＦＦの繰り返しである。５３と５５は、呼出信号５０の鳴動時間である。
５４は、呼出信号５０の無鳴動期間である。５８は、呼出信号５０を検知してから、回線を捕捉するまでの期間である。次に、回線捕捉のタイミングで電話交換機は、回線の極性を戻す方向に反転する。このときに回線にノイズ５９が発生する。ここでのノイズ５９を保護機能が検知するのを避けるため、所定時間６０のWait後の期間６４に保護機能を有効にする。ここで、所定時間６０が経過した後、ＤＡＡ３５等に対する保護機能が有効化され、保護機能処理が再開される。６１は、回線捕捉時の直流レベルを表すもので、回線捕捉後の直流電位である。６２，６４は保護機能が有効化された状態を示し、６３は保護機能が無効化された状態を示す。
【００２３】
一方、呼出信号５０が着信する前に回線極性が反転しない場合は、回線極性反転によるノイズが発生しないので上記制御はしない構成とする。
【００２４】
図５は、公衆回線網のアナログ加入者線の交換機の動作に関して表した図である。
図５において、オンフック（空き状態）１００では、交換機８６は、状態監視で変化なし。着信者呼出１０１は、着信側７６から呼出信号を送出するときに、極性反転する。着信者応答（通信開始）では、着信側８３がオフフックすると、極性が戻る。
【００２５】
一方、発信側７７は、極性が反転する。この問題点は、着信者応答（通信開始）１０２で、着信側８３が回線を捕捉したタイミングで極性が反転する、このタイミングで発生するノイズ５９を保護機能が検知し、通信回路を保護する方向に働く、ＭＯＤＥＭ３４が通信線抵抗を上げる。さらに、ノイズ５９が続く場合は、オンフックに制御するため、回線が瞬断してしまう。このタイミングを図４で示す。
【００２６】
図６は、本実施形態を示す画像通信装置の制御方法を説明するフローチャートである。以下、本実施形態におけるファクシミリ通信における回線ノイズから回路を保護する保護機能の動作タイミング制御の一例である。
なお、各ステップは、システム制御部１の制御部１０のＣＰＵがＭＯＤＥＭ３４をコマンド制御することで実行される。また、制御部１０のＣＰＵがＭＯＤＥＭ３４へ仕向け先の国コードを設定する。
【００２７】
Ｓ１で、ＦＡＸ受信シーケンスが開始されると、Ｓ２で、制御部１０は、呼出信号着信時の残留呼出信号に対するＤＡＡ３５の回路が壊れることを防ぐため、過電流検知機能をＯＮする。Ｓ３では、制御部１０は、初期設定後、受信スタンバイ状態となり、Ｓ４で、制御部１０は、呼出信号検知回路３３によって検知した呼出信号を判定する。ここで、残留ＣＩでないと制御部１０が判断した場合、Ｓ３へループで呼出信号を待つスタンバイ状態に遷移する。
一方、残留ＣＩであると制御部１０が判断した場合、Ｓ５で、回線捕捉前に保護機能（過電流・過電圧検知）をＯＦＦする。これは、保護機能が、回線捕捉によって交換機の極性反転による回線ノイズや、極反時の回線電圧差を保護機能が検知することを避けるための動作である。
【００２８】
Ｓ６で、過電流検知機能をＯＦＦするタイミングをとるため、図示しないタイマによる計時を開始して所定時間が計時されるのを待つ。これは、Ｗａｉｔ期間５８は、呼出信号５０が出力されなくなってからの経過時間に対応する。図４に示したＷａｉｔ期間５８（第１の計時処理）に対応する。ここで、Ｓ６は、過電流検知機能をＯＦＦ状態のままとする。なお、このＯＦＦ状態の実行と次のステップの時間は、短時間とする。また、Ｓ７で所定時間Ｗａｉｔ後に回線を捕捉する。Ｓ８で、回線捕捉後、所定時間Ｗａｉｔの経過を待機する（第２の計時処理）。
【００２９】
この所定時間Ｗａｉｔは、図４に示した期間６０（極性反転からの経過時間）に対応する。一方、Ｓ７の回線捕捉によって、図４に示したように回線交換機の回線極性反転のノイズ５９が発生する。このノイズ５９を保護機能が検知することを避けるため、この期間は保護手段をＯＦＦしている。
そして、Ｓ９で、図４に示した期間６０の経過後に保護機能（過電流検知機能）をＯＮする。Ｓ１０では、呼出信号５０の着信で自動受信モードであることを示す、ＡＮＳａｍ(ＣＥＤ)信号を送出する。Ｓ１１以降は、ファクシミリ手順信号、Ｓ１２で画信号受信、Ｓ１３で通信終了し、Ｓ１４でＳ１へ戻る。
【００３０】
本発明は、上述の実施形態の１以上の機能を実現するプログラムを、ネットワーク又は記憶媒体を介してシステムまたは装置に供給する。そして、そのシステム又は装置のコンピュータにおける１つ以上のプロセッサがプログラムを読み出し実行する処理でも実現可能である。また、１以上の機能を実現する回路（例えばＡＳＩＣ）によっても実現可能である。
【符号の説明】
【００３１】
１  システム制御部
３４  ＭＯＤＥＭ
３５  ＤＡＡ
３１  電話回線
３３  呼出信号検知回路
３０  オフフック検知回路
【図１】
2016167746.tif 000003
【図２】
2016167746.tif 000004
【図３】
2016167746.tif 000005
【図４】
2016167746.tif 000006
【図５】
2016167746.tif 000007
【図６】
2016167746.tif 000008